(57)【要約】【課題】限られた高さスペースの引き出し内であっても使用でき、ワンタッチで左右蓋を両開き状態とするゴミ箱を提供すること。【解決手段】ゴミ収容容器と、ゴミ収容容器の開口部に軸支される左右両開きの一対の左右蓋と、左右蓋の少なくともいずれか一方を、開方向にバネ付勢するバネ部材と、左右蓋を常時、係止して閉状態にし、該係止を解除して開状態とする開閉操作部と、左右蓋の手前側且つ基端側を連結し、該開閉操作部の開操作により、一方の蓋の開閉に連動して他方の蓋を開閉させる連結体と、を有し、開閉操作部の係止を解除することで、該左右蓋は自動的に両開きとなるゴミ箱。【選択図】図２
2020183300.tif 000002
【特許請求の範囲】
【請求項１】
上部開口のゴミ収容容器と、
該ゴミ収容容器の開口部に軸支される左右両開きの一対の左右蓋と、
該左右蓋の少なくともいずれか一方を、開方向にバネ付勢するバネ部材と、
バネ付勢された蓋を常時、係止して閉状態にし、該係止を解除して開状態とする開閉操作部と、
該左右蓋の基端側を連結し、一方の蓋の開閉に連動して他方の蓋を開閉させる連結体と、を有し、
該開閉操作部の係止を解除することで、該左右蓋は自動的に両開きとなることを特徴とするゴミ箱。
【請求項２】
該左右蓋は、天板と、該天板の両側端部から下方に延びる前後側板を有し、
該前後側板の少なくとも一方の側板の基端側には、該開口部に軸支される、前後方向の外側に延びる左右の第１及び第２回転軸を形成し、
該左蓋の該側板であって該第１回転軸から半径Ｒの位置に連結体の一方の端を軸支する第１突起を形成し、該右蓋の該側板であって該第２回転軸から半径Ｒの位置に連結体の他方の端を軸支する第２突起を形成し、
（ｉ）該第１突起の回動前及び回動後の位置が該第１回転軸の水平中心線上又はそれより上方に位置し、該第２突起の回動前の位置から回動後の位置が該第２回転軸の水平中心線上又はそれより下方に位置し、該連結体は該第１回転軸の軸中心と該第２回転軸の軸中心を結ぶ線をクロスするか、または
（ii）該第１突起の回動前及び回動後の位置が、該第１回転軸の水平中心線より下方に位置し、該第２突起の回動前の位置から回動後の位置が該第２回転軸の水平中心線より上方に位置し、該連結体は該第１回転軸の軸中心と該第２回転軸の軸中心を結ぶ線をクロスするものであることを特徴とする請求項１記載のゴミ箱。
【請求項３】
該ゴミ収容容器の開口縁に嵌る中央部がくり抜きの蓋枠体を有し、一対の左右蓋、バネ部材、開閉操作部及び連結体は、該蓋枠体に付設されることを特徴とする請求項１記載のゴミ箱。
【請求項４】
該左蓋は、該ゴミ収容容器の上端近傍で、正面視で反時計周りに回動自在に軸支され、該右蓋は、該ゴミ収容容器の上端近傍で、正面視で時計周りに回動自在に軸支されることを特徴とする請求項１〜３のいずれか１項に記載のゴミ箱。
【請求項５】
該連結体は、該第１突起に一端側が回動自在に嵌る第１軸支孔と、該第２突起に他端側が回動自在に嵌る第２軸支孔と、両端側に延びる長尺状の連結本体とを有することを特徴とする請求項１〜４のいずれか１項に記載のゴミ箱。
【請求項６】
該バネ部材は、左右蓋のいずれか一方に付設されており、該開閉操作部は、天板、後方側板及び左右側板を有し、該左右側板には、外側に延びる軸支用の小突起が形成され、該後方側板には、該左右蓋のバネ付勢される蓋に係止する係止部が形成されていることを特徴とする請求項１〜５のいずれか１項に記載のゴミ箱。
【請求項７】
該左右蓋のバネ付勢される蓋の側板の先端側には、外側の突出する該係止部に係止する蓋側係止部を付設することを特徴とする請求項６に記載のゴミ箱。
【発明の詳細な説明】
【技術分野】
【０００１】
本発明は、ワンタッチで左右蓋を両開き状態とするゴミ箱に関するものである。
【背景技術】
【０００２】
従来、ペダル方式の開閉蓋を有するゴミ箱は、種々提案されている。米国特許４８６５２１４には、上部開口部を有する容器と、容器に取り付けられ、旋回軸の周りを旋回して上部開口部を開閉する蓋と、蓋を回動自在とする機構が設けられている。この機構は、ペダル部と、蓋と一体に結合された蓋フランジと、ペダル部と蓋フランジとを相互に連結するロッド連結体とを有する。また、蓋フランジは、その厚さを通して形成された細長い孔を有する。細長い孔は、チャネルと、その両端に位置する２つの拡大部とを有する。このゴミ箱によれば、ペダル部を踏むことで、ペダル部が回動して後方端部が上方へ動き、ロッド連結体を押し上げ、これによりロッド連結体の上端部が、チャネルを通って２つの拡大部の内のひとつに係止することで、蓋フランジが回動し、これに伴い蓋が開くものである。
【先行技術文献】
【特許文献】
【０００３】
【特許文献１】米国特許４８６５２１４号公報
【発明の開示】
【発明が解決しようとする課題】
【０００４】
しかしながら、ペダル方式の開閉蓋を有するゴミ箱は、通常、使用時、蓋は略起立状に開く。このため、蓋の開きを許容するための上方の空間が必要となる。ゴミ箱の設置位置は、設置場所の都合、使用者の使用勝手や趣向など種々の要因で決定され、その内、システムキッチンの引き出しの中や棚の下など、上部空間が制限された場所に設置される場合がある。この場合、ペダル方式の開閉蓋を有するゴミ箱は、蓋が半開きとなり、実質的に使用できないという問題がある。また、ダイニングキッチンの引き出しの中では、ペダルは踏めず、当然の如く、使用できない。
【０００５】
近年、家庭用のダイニングキッチンは、清潔感及び意匠性の観点から、収納部分が引き出しタイプのものが多くなっている。しかし、従来の台所で使用するゴミ箱は、ダイニングキッチンの引き出しの中に収納できず、足元に置かざるを得ず、ダイニングキッチンの清潔感や意匠性を阻害しているという問題がある。すなわち、ダイニングキッチンの引き出しの中に収納して使用するゴミ箱は、特に高さが限られたスペースの中で、常時、閉状態とし、引き出した後は、収納状態のまま、ワンタッチで開状態にできる必要があるものの、このようなゴミ箱は、未だ、開発されていない。
【０００６】
従って、本発明の目的は、限られた高さスペースの引き出し内であっても使用でき、ワンタッチで左右蓋を両開き状態とするゴミ箱を提供することにある。
【課題を解決するための手段】
【０００７】
すなわち、本発明は、上記課題を解決するものであって、
上部開口のゴミ収容容器と、
該ゴミ収容容器の開口部に軸支される左右両開きの一対の左右蓋と、
該左右蓋の少なくともいずれか一方を、開方向にバネ付勢するバネ部材と、
バネ付勢された蓋を常時、係止して閉状態にし、該係止を解除して開状態とする開閉操作部と、
該左右蓋の基端側を連結し、一方の蓋の開閉に連動して他方の蓋を開閉させる連結体と、を有し、
該開閉操作部の係止を解除することで、該左右蓋は自動的に両開きとなることを特徴とするゴミ箱を提供するものである。
【０００８】
また、本発明は、該左右蓋は、天板と、該天板の両側端部から下方に延びる前後側板を有し、該前後側板の少なくとも一方の側板の基端側には、該開口部に軸支される、前後方向の外側に延びる左右の第１及び第２回転軸を形成し、
該左蓋の該側板であって該第１回転軸から半径Ｒの位置に連結体の一方の端を軸支する第１突起を形成し、該右蓋の該側板であって該第２回転軸から半径Ｒの位置に連結体の他方の端を軸支する第２突起を形成し、
（ｉ）該第１突起の回動前及び回動後の位置が該第１回転軸の水平中心線上又はそれより上方に位置し、該第２突起の回動前の位置から回動後の位置が該第２回転軸の水平中心線上又はそれより下方に位置し、該連結体は該第１回転軸の軸中心と該第２回転軸の軸中心を結ぶ線をクロスするか、または
（ii）該第１突起の回動前及び回動後の位置が、該第１回転軸の水平中心線より下方に位置し、該第２突起の回動前の位置から回動後の位置が該第２回転軸の水平中心線より上方に位置し、該連結体は該第１回転軸の軸中心と該第２回転軸の軸中心を結ぶ線をクロスするものであることを特徴とする前記ゴミ箱を提供するものである。
【０００９】
また、本発明は、該ゴミ収容容器の開口縁に嵌る中央部がくり抜きの蓋枠体を有し、一対の左右蓋、バネ部材、開閉操作部及び連結体は、該蓋枠体に付設されることを特徴とする前記ゴミ箱を提供するものである。
【００１０】
また、本発明は、該左蓋は、該ゴミ収容容器の上端近傍で、正面視で反時計周りに回動自在に軸支され、該右蓋は、該ゴミ収容容器の上端近傍で、正面視で時計周りに回動自在に軸支されることを特徴とする前記ゴミ箱を提供するものである。
【００１１】
また、本発明は、該連結体は、該第１突起に一端側が回動自在に嵌る第１軸支孔と、該第２突起に他端側が回動自在に嵌る第２軸支孔と、両端側に延びる長尺状の連結本体とを有することを特徴とする前記ゴミ箱提供するものである。
【００１２】
また、本発明は、該バネ部材は、左右蓋のいずれか一方に付設されており、該開閉操作部は、天板、後方側板及び左右側板を有し、該左右側板には、外側に延びる軸支用の小突起が形成され、該後方側板には、該左右蓋のバネ付勢される蓋に係止する係止部が形成されていることを特徴とする前記ゴミ箱提供するものである。
【００１３】
また、本発明は、該左右蓋のバネ付勢される蓋の側板の先端側には、外側の突出する該係止部に係止する蓋側係止部を付設することを特徴とする前記ゴミ箱提供するものである。
【発明の効果】
【００１４】
本発明によれば、左右蓋のいずれか一方にバネ部材が付設される場合、開閉操作部を作動させ、開状態とすれば、左右蓋の中、バネ付勢された蓋がバネ力により回動し、左右蓋を連結する連結体の動きにより、バネ付勢されていない蓋が連動して回動する。このため、上部空間が制限された場所において、従来の片開き蓋のゴミ箱に対して、半分の上部空間があればよく、使用できる場所の選択が広まる。また、開閉操作部を押すのみで開状態とすることができ、引き出しの中など不安定な設置状態であっても、簡単に蓋の開閉ができる。また、バネ部材を、左右蓋の両者に付設した場合、両開きとなった左右蓋を閉じる際、一方の蓋を閉じるのみで、連結体を作動させ、左右蓋を連動して閉じることができる。
【図面の簡単な説明】
【００１５】
【図１】本発明の実施の形態におけるゴミ箱の斜視図である。
【図２】図１のゴミ箱の半開き状態に斜視図である。
【図３】図１のゴミ箱の全開状態の斜視図である。
【図４】図１のゴミ箱の一部の分解斜視図である。
【図５】図１のゴミ箱を構成する蓋部の分解斜視図である。
【図６】図１のゴミ箱の左右両開きの動きを説明する図である。
【図７】図１のゴミ箱の左右両開きの動きを説明する他の図であり、図６に続く動きである。
【図８】図１のゴミ箱の左右両開きの動きを説明する他の図であり、図７に続く動きである。
【図９】図１のゴミ箱の左右両開きの動きを説明する他の図であり、図８に続く動きである。
【図１０】図１のゴミ箱の開閉操作部の閉状態の図である。
【図１１】図１のゴミ箱の開閉操作部の開操作を説明する図である。
【図１２】図１のゴミ箱の開閉操作部の開状態の図である。
【図１３】本発明のゴミ箱の第１突起及び第２突起の形成位置を説明する図である。
【図１４】本発明のゴミ箱の第１突起及び第２突起の形成位置を説明する他の図である。
【図１５】本発明のゴミ箱の第１突起及び第２突起の形成位置を説明する他の図である。
【図１６】本発明のゴミ箱の第１突起及び第２突起の形成位置を説明する他の図である。
【図１７】連結体の変形例である。
【発明を実施するための形態】
【００１６】
次に、本発明の実施の形態におけるゴミ箱を図１〜図１６を参照して説明する。本明細書において、「前後」および「左右」は、使用者側を正面（手前）側として見た方向を言い、本例では、開閉操作部側である。従って、一対の左右蓋３は、正面から見て、左蓋が反時計回りに回動し、右蓋が時計回りに回動する。
【００１７】
ゴミ箱１０は、上部開口のゴミ収容容器１と、蓋枠体２と、一対の左右蓋３（３１ａ、３１ｂ）と、開閉操作部４と、連結体５と、トーションバネ（バネ部材）６の組付け体である。ゴミ収容容器１は、所定高さと四角形状の上部開口を有する。
【００１８】
蓋枠体２は、ゴミ収容容器１の開口縁に嵌る中央部がくり抜きであって、内側面、天面及び外側面を有する底無しの略コ字断面形状であり、前方側部２１ａ、後方側部２１ｂ、左側部２１ｃ及び右側部２１ｄの四角枠である。本例では、蓋枠体２に、開閉操作部４が付設され、一対の左右蓋３１ａ、３１ｂが取り付けられる。蓋枠体２を使用することで、ゴミ収容容器１と蓋枠体２間にレジ袋等の内容器を取り付けることができ、ゴミ収納容器１を汚さずに済む。
【００１９】
蓋枠体２の前方側部２１ａには、開閉操作部４を収容する収容凹部２４が形成されており、収納凹部２４の左右内壁面２２ａ、２２ｂには、開閉操作部４の軸支用の小突起４３ａ、４３ｂが係止する係止孔（不図示）が形成されている。また、蓋枠体２の前後側部２１ａ、２１ｂの内壁面であって、左右側部２１ｃ、２１ｄの近傍には、左右蓋３１ａ、３１ｂの第１回転軸３３ａ、３６ａ及び第２回転軸３３ｂ、３６ｂ（不図示）が回動自在に嵌る係止孔２５ａ〜２５ｃが形成されている。
【００２０】
一対の左右蓋３は、蓋枠体２に回動自在に軸支される左右両開きである。一対の左右蓋３が回動する基端側は、蓋枠体２の左右側部２１ｃ、２１ｄ側であり、軸支用の回転軸が取り付けられるのは、前後側部２１ａ、２１ｂに付設される係止孔２５ａ〜２５ｃである。すなわち、左蓋３１ａの第１回転軸３３ａは、ゴミ収容容器１の上端近傍で、正面視で反時計周りに係止孔２５ａ、２５ｃに回動自在に軸支され、右蓋３１ｂの第１回転軸３３ｂは、ゴミ収容容器１の上端近傍で、正面視で時計周りに係止孔２５ｂ、２５ｄに回動自在に軸支される。
【００２１】
一対の左右蓋３の中、左蓋３１ａは、略四角形の板状体である天板３１１ａと、天板３１１ａの前後端側の裏面から下方に延びる前方側板３１２ａ、後方側板３１２ｃを有する。前方側板３１２ａの回動中心側（基端側）には、左蓋３１ａを回動自在に軸支する第１回転軸３３ａが付設され、第１回転軸３３ａの軸中心から半径Ｒの位置で斜め先端側上方には、連結体５の一端の第１軸支孔５１ａが係止する第１突起３２ａが付設されている。Ｒは大き過ぎると、蓋の厚みが大きく成り過ぎ、小さ過ぎると、第１回転軸３３ａと第１突起３２ａが接触し、円滑な開閉操作ができなくなる。具体的には、Ｒは８〜１２ｍｍ程度である。第１回転軸３３ａ及び第１突起３２ａは共に、前方側板３１２ａから手前方向に延びる円柱状の小突起である。
【００２２】
また、左蓋３１ａの前方側板３１２ａの先端側には、開閉操作部４の係止孔（係止部）４５に嵌る係止突起（蓋側係止部）３４が付設されている。また、左蓋３１ａの天板３１１ａの手前の先端側には、先端側に突出する係止片３５ａが形成されている。係止片３５ａは、開いた状態の左右蓋３を手で閉じる際、押圧が必要であることを視認させる目印となるものである。また、第１回転軸３３ａには、トーションバネ６が取り付けられ、左蓋３１ａは、蓋枠体２に対して、常時、開方向に付勢される。
【００２３】
左蓋３１ａの後方側板３１２ｃの回動中心側（基端側）には、左蓋３１ａを回動自在に軸支する第１回転軸３６ａが付設されている。なお、左蓋３１ａの後方側板３１２ｂには、連結体５と係止する第１突起は付設されていない。第１回転軸３６ａは、後方側板３１２ｃから後方側に延びる円柱状の小突起である。
【００２４】
一対の左右蓋３の中、右蓋３１ｂは、天板３１１ｂと、天板３１１ｂの前後端側の裏面から下方に延びる前方側板３１２ｂ、後方側板３１２ｄ（不図示）を有する。前方側板３１２ｂの回動中心側（基端側）には、右蓋３１ｂを回動自在に軸支する第２回転軸３３ｂが付設され、第２回転軸３３ｂの軸中心から半径Ｒの位置で斜め反先端側下方には、連結体５の他端の第２軸支孔５１ｂが係止する第２突起３２ｂが付設されている。Ｒは左蓋３１ａのＲと同じ寸法である。第２回転軸３３ｂ及び第２突起３２ｂは共に、前方側板３１２ｂから手前方向に延びる円柱状の小突起である。また、右蓋３１ｂの天板３１１ｂの手前の先端側には、左蓋３１ａの係止片３５ａが嵌る凹部３５ｂが形成されている。これにより、左右蓋が閉状態において、天面は平坦面となる。
【００２５】
右蓋３１ｂの後方側板３１２ｄの回動中心側（基端側）には、右蓋３１ｂを回動自在に軸支する第２回転軸（図５では見えない）が付設されている。なお、右蓋３１ｂの後方側板３１２ｄには、左蓋３１ａと同様に、連結体５と係止する第２突起は付設されていない。第２回転軸は、後方側板３１２ｄから後方側に延びる円柱状の小突起である。
【００２６】
連結体５は、左右蓋３１ａ、３１ｂの基端側を連結し、開閉操作部４の開操作により、バネ付勢された蓋の回動に連動してバネ付勢されていない蓋を回動させるものである。本例では、連結体５は、一端側が第１突起３２ａに回動自在に嵌る第１軸支孔５１ａと、他端側が第２突起３２ｂに回動自在に嵌る第２軸支孔５１ｂと、両端側に延びる長尺状の連結本体５２とを有する。連結本体５２は、本例では直線状に延びる細長の板状体が第１軸支孔５１ａ側においてグースネック状に屈曲したものである。これにより、左蓋３１ａが回動する際、連結体５が第１回転軸３３ａに当たり動きが阻害されることがない。また、連結体５は、左右蓋３の前方側板３１２ａ、３１２ｂの手前側の第１突起３２ａ及び第２突起３２ｂに回動自在に係止するため、ゴミ収納容器の開口を狭めることはない。
【００２７】
開閉操作部４は、図１０〜図１２に示すように、左蓋３１ａを常時、閉状態に係止し、該係止を解除して開状態とするものであり、本例では、天板４１、後方側板４４及び左右側板４２ａ、４２ｂを備え、左右側板４２ａ、４２ｂには、左右外側に延びる軸支用の小突起４３ａ、４３ｂが形成され、後方側板４４には、左右蓋３の中、バネ付勢される左蓋３１ａに係止する係止孔（係止部）４５が形成されている。開閉操作部４は、軸支用の小突起４３ａ、４３ｂが、蓋枠体２の収納凹部２４の左右内壁面２２ａ、２２ｂに付設される係止孔（不図示）に回動自在に嵌ることで、蓋枠体２に取り付けられる。また、図１０に示すように、開閉操作部４の係止孔４５に、バネ付勢された左蓋３１ａの係止突起３４が係止しており、これにより、左蓋３１ａは、常時、閉状態となっている。
【００２８】
次に、ゴミ箱１０の使用方法について説明する。図６〜図９は、ゴミ箱１０の正面視での蓋部の縦断面図である。ゴミ箱１０は、不使用時、左右蓋３１ａ、３１ｂが閉じた状態である（図１、図６及び図１０）。ゴミをゴミ箱１０に捨てる際、開閉操作部４の天板４１を手で下方に押す。これにより、開閉操作部４は、小突起４３ａ、４３ｂの軸芯を中心として、手前に回動し、左蓋３１ａの係止が解除される（図１１）。左蓋３１ａは常時、トーションバネ６により、開方向にバネ付勢されているため、左蓋３１ａは、開方向に回動する。
【００２９】
左蓋３１ａが開方向（図６中、符号Ｘ方向）に回動すると、図７に示すように、第１突起３２ａが、第１回転軸３３ａの軸芯を中心として、同様に、反時計回り（符号Ｘ方向）に回動する。このため、連結体５は図７中、左方向に動き、それに伴い、右蓋３１ｂの第２突起３２ｂを時計回り方向（符号Ｙ方向）に回動させる。従って、右蓋３１ｂは、同様に、開方向に回動する（図７）。
【００３０】
左蓋３１ａは、更に開方向に回動し、半開きとなった状態を図２及び図８に示す。図８のゴミ箱１０において、連結体５の一端である第１突起３２ａは、左蓋３１ａの第１回転軸３３ａのほぼ真上に位置しており、これに連動して、連結体５の他端である第２突起３２ｂは、右蓋３１ｂの第２回転軸３３ｂのほぼ真下に位置している。
【００３１】
左蓋３１ａは、更に開方向に回動し、全開きとなった状態を図３及び図９に示す。図９のゴミ箱１０において、連結体５の一端である第１突起３２ａは、左蓋３１ａの第１回転軸３３ａの斜め左上（図９）に位置しており、これに連動して、連結体５の他端である第２突起３２ｂは、右蓋３１ｂの第２回転軸３３ｂの斜め左下に位置している。このように、右蓋３１ｂは、左蓋３１ａと連動して開くため、左蓋３１ａが全開状態において、右蓋３１ｂも全開状態となり、左右蓋３の両開きがほぼ同時に行われ、都合がよい。この状態において、開口からごみが投入される。本実施の形態例のゴミ箱１０によれば、ゴミ箱１０の左右両開きとする操作は、最初に、開閉操作部４を指で押すのみであり、開閉操作部４と左蓋３１ａの係止が解除されれば、自動的に両開きとなる。
【００３２】
次に、全開状態のゴミ箱１０の蓋を閉じる方法について図６〜図９を参照して説明する。全開状態のゴミ箱１０の蓋を閉じる動きは、図６〜図９の順序とは反対であり、図９〜図６への動きとなる。使用者は、左蓋３１ａの先端には、先端方向に突出する視認機能の係止片３５ａを見て、左蓋３１ａを操作することになる。図９の全開状態のゴミ箱１０において、左蓋３１ａをバネ力に抗して、手で閉じる方向（正面視で時計回り）に回動させる。左蓋３１ａを、更に閉方向に回動させ、半開きとなった状態を図８に示す。図８のゴミ箱１０において、連結体５の一端である第１突起３２ａは、左蓋３１ａの第１回転軸３３ａのほぼ真上に位置しており、これに連動して、連結体５の他端である第２突起３２ｂは、右蓋３１ｂの第２回転軸３３ｂのほぼ真下に位置している。
【００３３】
更に、左蓋３１ａを閉方向（図６及び図７中、符号Ｘとは反対方向）に手で押さえると、第１突起３２ａが、第１回転軸３３ａの軸芯を中心として、時計回りに回動する。このため、連結体５は図７中、右方向に動き、それに伴い、右蓋３１ｂの第２突起３２ｂを反時計回りに回動させる。左右蓋３が閉じた時、連結体５の一端である第１突起３２ａは、左蓋３１ａの第１回転軸３３ａの斜め右上（図６）に位置しており、これに連動して、連結体５の他端である第２突起３２ｂは、右蓋３１ｂの第２回転軸３３ｂの斜め右下に位置している。なお、左右蓋３が閉じるには、左蓋３１ａの係止片３５ａ近傍を、蓋枠体２に対して少し強く押し込む。これにより、左蓋３１ａの係止突起３４が、開閉操作部４の係止孔４５に挿入され、左蓋３１ａは、蓋枠体２に対してロックされる。なお、右蓋３１ｂは、左蓋３１ａに連動して、閉状態となり、且つ左蓋３１ａの係止片３５ａが、右蓋３１ｂの係止凹部３５ｂに嵌るため、左右蓋３が開口を閉じると共に、左右蓋３の上面が平坦面となる。また、左蓋３１ａの係止片３５ａが右蓋３１ｂを押させており、右蓋３１ｂが単独で開くことはない。また、左蓋３１ａの係止突起３４は、断面視で上面が水平面の鋭角なエッジ形状であるため、開閉操作部４を操作しない限り、開くことはない。
【００３４】
ゴミ箱１０によれば、開閉操作部４を作動させ、開状態とすれば、左右蓋３の中、バネ付勢された左蓋３１ａがバネ力により回動し、左右蓋３を連結する連結体５の動きにより、バネ付勢されていない右蓋３１ｂが連動して回動する。このため、上部空間が制限された場所において、従来の片開き蓋のゴミ箱に対して、半分の上部空間があればよく、使用できる場所の選択が広まる。また、開閉操作部４を押すのみで開状態とすることができ、引き出しの中など不安定な設置状態であっても、簡単に蓋の開閉ができる。
【００３５】
本発明において、第１突起３２ａ及び第２突起３２ｂの形成位置は、上記実施の形態例に限定されず、種々の変形例を採ることができる。すなわち、本発明において、左蓋の一方の側板（手前側）であって第１回転軸から半径Ｒの位置に、連結体の一方の端を軸支する第１突起を形成し、右蓋の一方の側板（手前側）であって第２回転軸から半径Ｒの位置に、連結体の他方の端を軸支する第２突起を形成する。更に、下記の（ｉ）又は(ii)のいずれかを採る。
【００３６】
（ｉ）該第１突起の回動前及び回動後の位置が該第１回転軸の水平中心線上又はそれより上方に位置し、該第２突起の回動前の位置から回動後の位置が該第２回転軸の水平中心線上又はそれより下方に位置し、該連結体は該第１回転軸の軸中心と該第２回転軸の軸中心を結ぶ線をクロスする。
【００３７】
（ii）該第１突起の回動前及び回動後の位置が該第１回転軸の水平中心線より下方に位置し、該第２突起の回動前の位置から回動後の位置が該第２回転軸の水平中心線より上方に位置し、該連結体は該第１回転軸の軸中心と該第２回転軸の軸中心を結ぶ線をクロスする。
【００３８】
上記（ｉ）及び（ii）の関係を例示したものを、図１３〜図１５を参照して説明する。図１３〜図１５中、（Ａ）は、左蓋の第１回転軸３３ａ周りを示し、（Ｂ）は、右蓋の第２回転軸３３ｂ周りを示す簡略図である。図１３は、上記実施の形態と同様のものであり、左蓋３１ａの第１回転軸３３ａの軸中心から半径Ｒの位置で、且つ回動前の第１突起３２ａ１と回動後の第１突起３２ａ２は、共に、水平中心線（Ｚ１-Ｚ１線）より上方に位置しており、右蓋３１ｂの第２回転軸３３ｂの軸中心から半径Ｒの位置で、且つ回動前の第２突起３２ｂ１と回動後の第２突起３２ｂ２は、共に、水平中心線（Ｚ２-Ｚ２線）より下方に位置しており、更に連結体５は第１回転軸３３ａの軸中心と第２回転軸３３ｂの軸中心を結ぶ線を右下がりでクロスしている（符号Ｙ１）。なお、回動前の第１突起３２ａ１と回動後の第１突起３２ａ２、及び回動前の第２突起３２ｂ１と回動後の第２突起３２ｂ２は、共に９０度の開きがある。この図１３の実施の形態であれば、左蓋３１ａの開閉動作に連動して、右蓋３１ｂを開閉させることができる。
【００３９】
図１４は、左蓋３１ａの第１回転軸３３ａの軸中心から半径Ｒの位置で、且つ回動前の第１突起３２ａ３は、水平中心線（Ｚ１-Ｚ１線）上で、回動後の第１突起３２ａ４は、水平中心線より上方に位置しており、右蓋３１ｂの第２回転軸３３ｂの軸中心から半径Ｒの位置で、且つ回動前の第２突起３２ｂ３は、水平中心線（Ｚ２-Ｚ２線）上で、回動後の第１突起３２ａ４は、水平中心線より下方に位置しており、更に連結体５は第１回転軸３３ａの軸中心と第２回転軸３３ｂの軸中心を結ぶ線を右下がりでクロスしている（符号Ｙ１）。なお、回動前の第１突起３２ａ３と回動後の第１突起３２ａ４、及び回動前の第２突起３２ｂ３と回動後の第２突起３２ｂ４は、共に９０度の開きがある。この図１４の実施の形態であれば、左蓋３１ａの開閉動作に連動して、右蓋３１ｂを開閉させることができる。
【００４０】
図１５は、左蓋３１ａの第１回転軸３３ａの軸中心から半径Ｒの位置で、且つ回動前の第１突起３２ａ５と回動後の第１突起３２ａ６は、共に、水平中心線（Ｚ１-Ｚ１線）より下方に位置しており、右蓋３１ｂの第２回転軸３３ｂの軸中心から半径Ｒの位置で、且つ回動前の第２突起３２ｂ５と回動後の第２突起３２ｂ６は、共に、水平中心線（Ｚ２-Ｚ２線）より上方に位置しており、更に連結体５は第１回転軸３３ａの軸中心と第２回転軸３３ｂの軸中心を結ぶ線を左下がりでクロスしている（符号Ｙ２）。なお、回動前の第１突起３２ａ５と回動後の第１突起３２ａ６、及び回動前の第２突起３２ｂ５と回動後の第２突起３２ｂ６は、共に９０度の開きがある。この図１５の実施の形態であれば、左蓋３１ａの開閉動作に連動して、右蓋３１ｂを開閉させることができる。
【００４１】
図１６は、左蓋３１ａの第１回転軸３３ａの軸中心から半径Ｒの位置で、且つ回動前の第１突起３２ａ７は、水平中心線（Ｚ１-Ｚ１線）上で、回動後の第１突起３２ａ８は、水平中心線より下方に位置しており、右蓋３１ｂの第２回転軸３３ｂの軸中心から半径Ｒの位置で、且つ回動前の第２突起３２ｂ７は、水平中心線（Ｚ２-Ｚ２線）上で、回動後の第１突起３２ａ８は、水平中心線より上方に位置しており、更に連結体５は第１回転軸３３ａの軸中心と第２回転軸３３ｂの軸中心を結ぶ線を左下がりでクロスしている（符号Ｙ１）。なお、回動前の第１突起３２ａ７と回動後の第１突起３２ａ８、及び回動前の第２突起３２ｂ７と回動後の第２突起３２ｂ８は、共に９０度の開きがある。この図１６の実施の形態であれば、左蓋３１ａの開閉動作に連動して、右蓋３１ｂを開閉させることができる。
【００４２】
また、本発明において、蓋枠体２は省略できる。すなわち、蓋枠体２がゴミ収容容器１の開口縁部に嵌り一体となったものでもよく、あるいは蓋枠体２を省略し、ゴミ収容容器１の開口近傍に、一対の左右蓋、バネ部材、開閉操作部及び連結体が取り付けられるものであってもよい。また、本発明において、開閉操作部４と左蓋３１ａの係止は、開閉操作部４側を係止突起とし、左蓋３１ａ側を係止孔としてもよい。また、左蓋３１ａの係止片３５ａ及び右蓋３１ｂの凹部３５ｂは省略することもできる。また、連結体５の連結本体５２の形状としては、左蓋３１ａの第１回転軸３３ａ側がグースネックのものに限定されず、図１７に示すような右蓋３１ｂの第２回転軸３３ｂ側がグースネックのもの、中央部がグースネックのもの、全体が緩やかな凹凸状のもの、直線部及び傾斜部が組み合わさってものなど種々の形状を採ることができる。なお、図１７の場合、第１突起３２ａ及び第２突起３２の形成位置は、図１５及び図１６に示す位置となる。また、上記（ｉ）及び（ii）において、第１回転軸３３ａと第２回転軸３３ｂが水平線上にあれば、第１回転軸３３ａの軸中心と第２回転軸３３ｂの軸中心を結ぶ線は、水平中心線となる。
【００４３】
また、ゴミ箱１０のトーションバネ６は、左蓋３１ａに付設する以外に、右蓋３１ｂに取り付けてもよく、また、左右蓋３１ａ、３１ｂの両者に取り付けてもよい。右蓋３１ｂに取り付ける場合、視認性機能の係止片３５ａは右蓋３１ｂに付設し、対応する凹部３５ｂは、左蓋３１ａに付設するのが好ましい。右蓋３１ｂの場合、トーションバネ６の付設場所は、左蓋３１ａと同様の、第２回転軸３３ｂとすればよい。トーションバネ６を、左右蓋３１ａ、３１ｂの両者に付設した場合、左右のバネ力が同じ場合、左右蓋３１ａ、３１ｂの開き回動はバネ力により行われる。一方、両開きとなった左右蓋３１ａ、３１ｂを閉じる際、一方の蓋を閉じるのみで、連結体５が作動し、左右蓋３１ａ、３１ｂを連動して閉じることができる。なお、左右蓋３１ａ、３１ｂの両者に付設したバネ部材のバネ力が異なる場合、蓋が開く際、弱いバネ部材を付設した側の蓋は、連結体の作用により、強いバネ部材側の蓋の動きに連動して開く。
【産業上の利用可能性】
【００４４】
本発明によれば、システムキッチンの引き出し内に収納でき、清潔感のある台所とすることができる。また、ワンタッチで開閉操作ができ、不安定な設置箇所であっても、使い勝手がよい。
【符号の説明】
【００４５】
１          ゴミ収容容器
２          蓋枠体
３（３１ａ、３１ｂ）    一対の左右蓋
４          開閉操作部
５          連結体
６          トーションバネ（バネ部材）
１０        ゴミ箱
３２ａ      第１突起
３２ｂ      第２突起
３３ａ      第１回転軸
３３ｂ      第２回転軸
【図１】
2020183300.tif 000003
【図２】
2020183300.tif 000004
【図３】
2020183300.tif 000005
【図４】
2020183300.tif 000006
【図５】
2020183300.tif 000007
【図６】
2020183300.tif 000008
【図７】
2020183300.tif 000009
【図８】
2020183300.tif 000010
【図９】
2020183300.tif 000011
【図１０】
2020183300.tif 000012
【図１１】
2020183300.tif 000013
【図１２】
2020183300.tif 000014
【図１３】
2020183300.tif 000015
【図１４】
2020183300.tif 000016
【図１５】
2020183300.tif 000017
【図１６】
2020183300.tif 000018
【図１７】
2020183300.tif 000019